【手続補正書】
【提出日】平成15年11月25日(2003.11.25)
【手続補正１】
【補正対象書類名】明細書
【補正対象項目名】特許請求の範囲
【補正方法】変更
【補正の内容】
【特許請求の範囲】
【請求項１】
移動体通信網の基地局と、基地局との間でデータ伝送が可能な移動端末と、プログラムにより制御される機器と、前記プログラムのアップデータが登録され基地局を通して機器にアップデータを伝送するサーバとからなり、機器には、プログラムが格納される書換可能な記憶手段と、記憶手段に格納されたプログラムによって機器の動作を制御する制御手段と、前記サーバから前記移動端末を通して伝送されたプログラムを記憶手段に書き込む書込手段とが設けられ、前記サーバから前記アップデータを伝送する際に、プログラムの伝送対象である機器の種類を指定する機器種別データとプログラムのバージョンを表すプログラム識別データとを少なくとも含む識別データを、前記アップデータとともに前記移動端末に前記基地局から一斉同報により伝送し、書込手段では、伝送された機器種別データがあらかじめ書込手段に設定されている機器種別データに一致し、かつプログラム識別データにより未書換のアップデータであることが確認されたときに当該アップデータを前記記憶手段に格納することを特徴とするダウンロードシステム。
【請求項２】
前記移動端末で受信する前記アップデータが複数個のブロックに分割されるとともに、各ブロックごとにブロックを識別するブロック識別データとエラーチェックデータとが付加され、前記書込手段ではエラーチェックデータによってエラーが検出されたブロックについてブロック識別データを指定して前記サーバに再送を要求することを特徴とする請求項１記載のダウンロードシステム。
【請求項３】
前記移動端末で受信する前記アップデータが複数個のブロックに分割されるとともに、各ブロックごとにブロックを識別するブロック識別データとエラーチェックデータとが付加され、前記書込手段ではエラーチェックデータによってエラーが検出されたブロックについて、前記アップデータの受信終了後にブロック識別データを指定して前記サーバに再送を要求することを特徴とする請求項１記載のダウンロードシステム。
【請求項４】
前記サーバでは前記アップデータの送信時に同じアップデータを複数回繰り返して送信し、前記書込手段ではアップデータの１回目の受信時にエラーが検出されたブロックをアップデータの２回目以降の受信時に補完し、サーバからのアップデータの送信が終了した時点で未補完のブロックがあるときに当該ブロックの再送をサーバに要求することを特徴とする請求項２または請求項３記載のダウンロードシステム。
【請求項５】
前記書込手段では前記アップデータの書換が成功したときには書換完了後の所定時間内に当該機器を個別に識別する固有識別データを前記サーバに返送し、前記サーバでは固有識別データが返送されると当該機器にプログラムのバージョンを対応付けているバージョン管理テーブルを更新することを特徴とする請求項１ないし請求項４のいずれか１項に記載のダウンロードシステム。
【請求項６】
前記機器が前記アップデータの書換完了時から前記固有識別データを返送するまでの前記所定時間を機器ごとにランダムに設定するタイマを備えることを特徴とする請求項５記載のダウンロードシステム。
【請求項７】
前記移動端末では前記基地局からの一斉同報による前記アップデータを受信すると、前記サーバからのアップデータの送信が終了するまでは前記基地局への送信が禁止されることを特徴とする請求項１ないし請求項６のいずれか１項に記載のダウンロードシステム。
【請求項８】
前記サーバは前記アップデータを送信する時刻を指定する時計手段を備えることを特徴とする請求項１ないし請求項７のいずれか１項に記載のダウンロードシステム。
【請求項９】
前記基地局と前記移動端末と前記機器とともに請求項１ないし請求項８のいずれか１項に記載のダウンロードシステムを構成することを特徴とするサーバ。
【手続補正２】
【補正対象書類名】明細書
【補正対象項目名】発明の名称
【補正方法】変更
【補正の内容】
【発明の名称】ダウンロードシステムおよびサーバ
【手続補正３】
【補正対象書類名】明細書
【補正対象項目名】０００１
【補正方法】変更
【補正の内容】
【０００１】
【発明の属する技術分野】
本発明は、プログラムにより制御される機器にアップデータを配信するダウンロードシステムおよびダウンロードシステムを構成するサーバに関するものである。


【手続補正４】
【補正対象書類名】明細書
【補正対象項目名】０００７
【補正方法】変更
【補正の内容】
【０００７】
本発明は上記事由に鑑みて為されたものであり、その目的は、稼働中の複数台の機器にサーバからアップデータを一度に配信可能としてプログラムのアップデートに要する時間および費用を従来よりも大幅に低減させることを可能としたダウンロードシステムおよびダウンロードシステムを構成するサーバを提供することにある。


【手続補正５】
【補正対象書類名】明細書
【補正対象項目名】００１５
【補正方法】変更
【補正の内容】
【００１５】
請求項８の発明は、請求項１ないし請求項７の発明において、前記サーバは前記アップデータを送信する時刻を指定する時計手段を備えるものであり、夜間のように機器が使用される可能性が低く、かつ移動体通信網のトラフィックが少ない時間帯を利用するように時刻を指定してアップデータを配信することが可能になる。
請求項９の発明は、サーバであって、前記基地局と前記移動端末と前記機器とともに請求項１ないし請求項８のいずれか１項に記載のダウンロードシステムを構成することを特徴とする。
【手続補正６】
【補正対象書類名】明細書
【補正対象項目名】００２１
【補正方法】変更
【補正の内容】
【００２１】
ところで、基地局３はアップデータに付加されている通信パラメータによってアップデータの配信であることを認識すると、一斉同報（ブロードキャスト）によってアップデータを配信する。ここで、基地局３はアップデータの伝送を通知する報知情報としてアップデータの有無を通知する。したがって、基地局３からの電波の受信圏内に存在するすべての移動端末２は、図３に示すように、報知情報を受信すると（Ｓ１）、書込手段１３において報知情報を解析する。報知情報がアップデータの送信を示しているときには（Ｓ２）、移動端末２をアップデータの受信に対応させるための通信パラメータを移動端末２に設定する（Ｓ３）。こうして移動端末２に通信パラメータが設定されるとアップデータの受信（ダウンロード）が可能になる（Ｓ４）。ただし、アップデータの先頭には上述したように識別データである機器種別データおよびプログラム識別データが付加されているから、受信した機器種別データが書込手段１３にあらかじめ登録されている機器種別データに一致し、かつプログラム識別データにより示されたバージョンがプログラム記憶部１２に格納されているプログラムのバージョンよりも新しいものであるときにのみアップデータを読み込む。機器種別データが不一致であるかプログラムのバージョンが新しくない場合にはアップデータの受信を中止して待受け状態になる。


【手続補正７】
【補正対象書類名】明細書
【補正対象項目名】００４２
【補正方法】変更
【補正の内容】
【００４２】
請求項８の発明は、請求項１ないし請求項７の発明において、前記サーバは前記アップデータを送信する時刻を指定する時計手段を備えるので、夜間のように機器が使用される可能性が低く、かつ移動体通信網のトラフィックが少ない時間帯を利用するように時刻を指定してアップデータを配信することが可能になるという利点がある。
請求項９の発明は、サーバであって、前記基地局と前記移動端末と前記機器とともに請求項１ないし請求項８のいずれか１項に記載のダウンロードシステムを構成する。